(57)【要約】【課題】画像形成装置において、接続しようとしているデバイスと画像形成装置との対応状況をユーザに意識させることなく、接続可能なデバイスを装置のホスト機能又はＰＣに自動的に接続する。【解決手段】接続切替回路１１は、予め、ダウンストリームポート７とＵＳＢホスト回路１０とをＵＳＢ接続ライン１２を介して接続しており、ＰｉｃｔＢｒｉｄｇｅに対応するＤＳＣ４がダウンストリームポート７に接続されたとき、ＤＰＳディスカバリを実行する。ＤＰＳディスカバリが成功した場合は、ＤＳＣ４とＵＳＢホスト回路１０との接続状態を維持する。一方、ＰｉｃｔＢｒｉｄｇｅに対応しないスキャナ３が接続され、ＤＰＳディスカバリに失敗した場合は、ＵＳＢ接続ライン１２を切断し、所定の時間が経過した後、ＵＳＢ接続ライン１３を接続することにより、スキャナ３とＵＳＢハブ回路８とを接続し、スキャナ３をＰＣ２に認識させる。【選択図】図２
2005339146.tif 000002
【特許請求の範囲】
【請求項１】
ＵＳＢケーブルを介してホスト装置及びデバイスを接続するためのアップストリームポート及びダウンストリームポートと、
前記アップストリームポートに接続されたホスト装置に対しては、該ホスト装置によって管理されるＵＳＢデバイスとして機能するＵＳＢデバイス回路と、
前記ダウンストリームポートに接続されたデバイスに対しては、該デバイスを管理するＵＳＢホスト装置として機能するＵＳＢホスト回路とを備えた画像形成装置において、
ホスト装置が前記アップストリームポートに接続されたとき、前記ダウンストリームポートに接続されているデバイスのハブとして機能するＵＳＢハブ回路と、
前記ダウンストリームポートに接続されているデバイスを、ＵＳＢ接続ラインを経由して前記ＵＳＢホスト回路又はＵＳＢハブ回路に選択的に接続させる接続切替回路とをさらに備え、
前記接続切替回路は、
予め、前記ＵＳＢ接続ラインを前記ＵＳＢホスト回路に接続しており、
デバイスが前記ダウンストリームポートに接続されたとき、該デバイスに対して所定の呼出信号を送信し、該デバイスから該呼出信号に対応する所定の応答信号を受信した場合は、該デバイスと前記ＵＳＢホスト回路との接続状態を維持し、
前記デバイスから前記所定の応答信号を受信しなかった場合は、前記ＵＳＢ接続ラインを一旦切断し、所定の時間が経過した後、該ＵＳＢ接続ラインを前記ＵＳＢハブ回路に切り替えることにより、前記デバイスとＵＳＢハブ回路とを接続し、
ダウンストリームポートに接続されたデバイスに応じて、ＵＳＢホスト機能とＵＳＢハブ機能とを自動的に切り替え可能にしたことを特徴とする画像形成装置。
【請求項２】
ホスト装置及びデバイスを接続するためのアップストリームポート及びダウンストリームポートと、
前記アップストリームポートに接続されたホスト装置に対しては、該ホスト装置によって管理されるデバイスとして機能するデバイス回路と、
前記ダウンストリームポートに接続されたデバイスに対しては、該デバイスを管理するためのホスト装置として機能するホスト回路とを備えた電子機器において、
ホスト装置が前記アップストリームポートに接続されたとき、前記ダウンストリームポートに接続されているデバイスのハブとして機能するハブ回路と、
前記ダウンストリームポートに接続されているデバイスを前記ホスト回路又はハブ回路に選択的に接続させる接続切替回路とをさらに備えたことを特徴とする電子機器。
【請求項３】
前記接続切替回路は、
所定の規格に対応するデバイスが前記ダウンストリームポートに接続されたとき、該デバイスを前記ホスト回路に接続し、
前記所定の規格に対応しないデバイスが前記ダウンストリームポートに接続されたとき、該デバイスを前記ハブ回路に接続し、
ダウンストリームポートに接続されたデバイスに応じて、電子機器のホスト機能とハブ機能とを自動的に切り替え可能にしたことを特徴とする請求項２に記載の電子機器。
【発明の詳細な説明】
【技術分野】
【０００１】
本発明は、パーソナルコンピュータ（以下、ＰＣとする）等のホスト装置及び各種の周辺デバイス（以下デバイスとする）に接続される電子機器に関し、特にデジタルスチルカメラ（以下、ＤＳＣとする）と直接接続され、ＤＳＣを操作することによって撮影画像を印刷することができる画像形成装置（プリンタ）に関するものである。
【背景技術】
【０００２】
近年、ＰＣ等のホスト装置に接続するためのアップストリームポート、ＤＳＣ等のデバイスを接続するためのダウンストリームポートを備え、アップストリームポートを介して接続されたホスト装置によって管理されるデバイス機能に加え、ダウンストリームポートを介して接続されたＤＳＣを管理するホスト機能をも有する画像形成装置が実用化されている。高画質の画像を迅速に印刷できるように、アップストリームポート及びダウンストリームポートには高いデータ転送速度が求められており、現在ではＵＳＢ（Universal Serial Bus）２．０の規格に準拠するポートが広く普及している。特許文献１には、このようなＵＳＢの規格に準拠するポートを備え、ＰＣによって管理されるデバイス機能と、ＤＳＣを管理するホスト機能を有するように構成された画像形成装置が示されている（例えば、特許文献１参照）。
【特許文献１】特開２００４−５５４１号公報
【発明の開示】
【発明が解決しようとする課題】
【０００３】
ところで、上記ダウンストリームポートには、ＵＳＢケーブルを用いることにより、上述したＤＳＣの他、イメージスキャナ（以下、スキャナ）やマウス等のＵＳＢに対応した各種の周辺機器が接続可能である。画像形成装置は、通常、スキャナ、マウス等の周辺機器を管理することができないが、このような機器が接続されたとき、画像形成装置をＰＣに対するハブとして機能させることができれば、ＰＣによって管理することができ、ユーザにとって便宜である。特に、近年主流のタワー型のＰＣは机の下方に設置されることが多く、ユーザがスキャナ等のデバイスを直接ＰＣに接続して使用する際、ＵＳＢケーブルの接続のために机の下側に手を伸ばさなければならないので面倒である。また、ノート型のＰＣにおいても、コストダウンや小型化の要請から最小限のダウンストリームポートしか装備されない場合が多く、多数のＵＳＢデバイスを同時に接続することができない。このような場合において、画像形成装置をＰＣに対するハブとして機能させることができれば、ユーザの使い勝手が向上する。
【０００４】
しかしながら、上記特許文献１に示された画像形成装置においては、アップストリームポート側の回路とダウンストリームポート側の回路が接続されていないので、ダウンストリームポートに接続されたスキャナ、マウス等をアップストリームポートに接続されているＰＣに認識させることができない。勿論、画像形成装置本体の制御部のソフトウェア処理によって、アップストリームポート側の回路とダウンストリームポート側の回路の接続を制御するように構成することも考えられるが、上述したソフトウェアが対応していないデバイスがダウンストリームポートに接続された場合、これらをＰＣに認識させることができない。また、画像形成装置本体の制御部のソフトウェア処理によって、アップストリームポート側の回路とダウンストリームポート側の回路の接続を制御する構成では、処理にタイムラグが生ずることがある。ダウンストリームポートに即時応答性が求められるデバイス（例えば、ＰＣとの間で定期的な割り込み通信が必要なマウス等）が接続された場合、このようなタイムラグが生ずると、その操作性が悪化し実用上の問題が生ずる。
【０００５】
また、ダウンストリームポートに接続されるデバイスに応じて、ユーザが画像形成装置の機能をホスト機能又はハブ機能に切り替えるための手動スイッチを設けてもよいが、このような構成では、ユーザが接続しようとしているデバイスが画像形成装置に認識させたいデバイスであるのか、画像形成装置を通してＰＣに認識させたいデバイスであるのか、を常に意識しなければならず使い勝手が悪い。
【０００６】
本発明は、上記課題を解決するためになされたものであり、ダウンストリームポートに接続しようとしているデバイスが画像形成装置に対応したものであるのか否かを、ユーザに意識させることなく、ポートに接続可能なデバイスを画像形成装置のホスト機能又はＰＣに自動的に接続し、デバイスの使い勝手の向上を図ることができる画像形成装置を提供することを目的とする。
【課題を解決するための手段】
【０００７】
上記目的を達成するために請求項１の発明は、ＵＳＢケーブルを介してホスト装置及びデバイスを接続するためのアップストリームポート及びダウンストリームポートと、アップストリームポートに接続されたホスト装置に対しては、該ホスト装置によって管理されるＵＳＢデバイスとして機能するＵＳＢデバイス回路と、ダウンストリームポートに接続されたデバイスに対しては、該デバイスを管理するＵＳＢホスト装置として機能するＵＳＢホスト回路とを備えた画像形成装置において、ホスト装置がアップストリームポートに接続されたとき、ダウンストリームポートに接続されているデバイスのハブとして機能するＵＳＢハブ回路と、ダウンストリームポートに接続されているデバイスを、ＵＳＢ接続ラインを経由してＵＳＢホスト回路又はＵＳＢハブ回路に選択的に接続させる接続切替回路とをさらに備え、接続切替回路は、予め、ＵＳＢ接続ラインをＵＳＢホスト回路に接続しており、デバイスがダウンストリームポートに接続されたとき、該デバイスに対して所定の呼出信号を送信し、該デバイスから該呼出信号に対応する所定の応答信号を受信した場合は、該デバイスとＵＳＢホスト回路との接続状態を維持し、デバイスから所定の応答信号を受信しなかった場合は、ＵＳＢ接続ラインを一旦切断し、所定の時間が経過した後、該ＵＳＢ接続ラインをＵＳＢハブ回路に切り替えることにより、デバイスとＵＳＢハブ回路とを接続し、ダウンストリームポートに接続されたデバイスに応じて、ＵＳＢホスト機能とＵＳＢハブ機能とを自動的に切り替え可能にしたものである。
【０００８】
請求項２の発明は、ホスト装置及びデバイスを接続するためのアップストリームポート及びダウンストリームポートと、アップストリームポートに接続されたホスト装置に対しては、該ホスト装置によって管理されるデバイスとして機能するデバイス回路と、ダウンストリームポートに接続されたデバイスに対しては、該デバイスを管理するためのホスト装置として機能するホスト回路とを備えた電子機器において、ホスト装置がアップストリームポートに接続されたとき、ダウンストリームポートに接続されているデバイスのハブとして機能するハブ回路と、ダウンストリームポートに接続されているデバイスをホスト回路又はハブ回路に選択的に接続させる接続切替回路とをさらに備えたものである。
【０００９】
請求項３の発明は、請求項２に記載の電子機器において、接続切替回路は、所定の規格に対応するデバイスがダウンストリームポートに接続されたとき、該デバイスをホスト回路に接続し、所定の規格に対応しないデバイスがダウンストリームポートに接続されたとき、該デバイスをハブ回路に接続し、ダウンストリームポートに接続されたデバイスに応じて、電子機器のホスト機能とハブ機能とを自動的に切り替え可能にしたものである。
【発明の効果】
【００１０】
請求項１の発明によれば、ダウンストリームポートに接続されたデバイスに応じて、ＵＳＢホスト機能とＵＳＢハブ機能とを自動的に切り替えるので、ユーザは、デバイスが画像形成装置に対応したものであるのか否かを意識することなく、接続されたデバイスを画像形成装置のホスト機能又はＰＣに自動的に接続することが可能となり、ユーザの利便性が高められる。特に、机の下方に設置されることが多いタワー型のＰＣにおいては、ユーザがスキャナ等のデバイスを使用する際、ＵＳＢケーブルの接続のために机の下側に手を伸ばす必要がなくなり、デバイスの使い勝手が向上する。また、最小限のダウンストリームポートしか装備されないノート型のＰＣにおいても、多数のＵＳＢデバイスを同時に接続することができ、利便性が高められる。
【００１１】
また、接続切替回路は、所定の応答信号の受信結果に応じてＵＳＢ接続ラインの接続制御を行うので、デバイスが画像形成装置に対応したものであるのか否かを確実かつ迅速に確認することができる。従って、即時応答性が求められるデバイスが接続された場合にあっても、処理にタイムラグが生ずることがなく、良好な操作性を得ることができる。また、デバイスから所定の応答信号を受信しなかった場合は、ＵＳＢ接続ラインを一旦切断し、接続を切り替える前に所定の時間待機するので、メーカー毎に仕様の異なるデバイスが接続された場合であっても、該デバイスと画像形成装置との間の相性に問題が生ずることもない。また、安価かつ広く普及しているＵＳＢケーブルを介して画像形成装置とホスト装置及びデバイスを接続できるので、ホスト装置としてＰＣを、デバイスとしてＵＳＢポートを備えた各種の周辺機器を接続することができ、ユーザの利便性が高められる。
【００１２】
請求項２の発明によれば、ダウンストリームポートに接続されたデバイスに応じて、ホスト機能とハブ機能とを自動的に切り替えるので、ユーザは、デバイスが電子機器に対応したものであるのか否かを意識することなく、接続されたデバイスを電子機器のホスト機能又はＰＣに自動的に接続することが可能となり、請求項１と同様に、ユーザの利便性が高められる。
【００１３】
請求項３の発明によれば、接続されたデバイスが所定の規格に対応するか否かによって、デバイスをホスト回路又はハブ回路のいずれかに接続するので、メーカー毎に仕様の異なるデバイスが接続された場合であっても、電子機器と該デバイスが共通の規格に対応していれば、ホスト機能とハブ機能を自動的に切替ることができる。
【発明を実施するための最良の形態】
【００１４】
本発明を実施するための最良の実施形態による画像形成装置について、図面を参照して説明する。図１は、画像形成装置と、それに接続されたＰＣ、スキャナ及びＤＳＣを示している。図２において、（ａ）は画像形成装置にＰＣ及びＤＳＣが接続された状態、（ｂ）は画像形成装置にＰＣ及びスキャナが接続された状態の各装置のブロック図をそれぞれ示している。画像形成装置１とＰＣ２、スキャナ３、ＤＳＣ４は、ＵＳＢケーブル５によって接続される。画像形成装置１は、ＵＳＢホスト装置として機能するＰＣ２によってＵＳＢデバイスの１つとして認識される。スキャナ３及びＤＳＣ４は、ＰＣ２又は画像形成装置１によってＵＳＢデバイスの１つとして認識される。なお、図１に示したＰＣ２はタワー型のタイプであり、本体が机の下方に設置される場合が多い。一方、ＰＣ２のディスプレイ２ａ及び、画像形成装置１、スキャナ３、ＤＳＣ４は、通常、机上に配置される。
【００１５】
本実施形態の画像形成装置１及びＤＳＣ４は、ＣＩＰＡ（Camera & Imaging Products Association）規格ＤＣ−００１（以下、ＰｉｃｔＢｒｉｄｇｅという）に対応している。ＰｉｃｔＢｒｉｄｇｅとは、画像形成装置１とＤＳＣ４との間でのダイレクト接続に関する複数のメーカー間に跨る標準規格である。異なるメーカーによって製造された画像形成装置１とＤＳＣ４であっても、ＰｉｃｔＢｒｉｄｇｅに対応していれば、ユーザは、これらをダイレクトに接続して、ＤＳＣ４を操作することにより、ＤＳＣ４から画像形成装置１に画像データを送信し、印刷することができる。ホスト機能を有する画像形成装置１は、そのダウンストリームポート７にデバイスが接続されたとき、ＤＰＳディスカバリを実行することにより、そのデバイスがＰｉｃｔＢｒｉｄｇｅに対応しているかを確認する。ＤＰＳディスカバリは、予め設定された所定の呼出信号をデバイスに送信し、所定の応答信号が返信された場合に成功する。ＤＰＳディスカバリの成功によって、画像形成装置１は、ダウンストリームポート７に接続されたデバイスがＰｉｃｔＢｒｉｄｇｅに対応するデバイスであると確認することができる。
【００１６】
画像形成装置１は、ＵＳＢケーブル５を介してＰＣ２と接続するためのアップストリームポート６と、ＤＳＣ４又はスキャナ３と接続するためダウンストリームポート７と、アップストリームポート６に接続され、画像形成装置１を含めた各種ＵＳＢデバイスのハブとして機能するＵＳＢハブ回路８と、ＵＳＢハブ回路８に接続され、ＰＣ２に対してＵＳＢデバイスとして機能するＵＳＢデバイス回路９と、接続切替回路１１を介してダウンストリームポート７に接続され、ＤＳＣ４のＵＳＢホストとして機能するＵＳＢホスト回路１０と、ＵＳＢハブ回路８又はＵＳＢホスト回路１０をダウンストリームポート７に選択的に接続させる接続切替回路１１等によって構成されている。ここで、ＵＳＢデバイス回路９は、ＵＳＢハブ回路８を介することなく、直接ＰＣ２と接続されていてもよい。
【００１７】
接続切替回路１１は、予め、ＵＳＢホスト回路１０の側のＵＳＢ接続ライン１２をダウンストリームポート７に接続しており、ＰｉｃｔＢｒｉｄｇｅに対応するデバイス、例えば、ＤＳＣ４がダウンストリームポート７に接続されたとき、ＤＳＣ４とＵＳＢホスト回路１０との接続状態をそのまま維持し、ＰｉｃｔＢｒｉｄｇｅ機能を実行すると共に、ＰＣ２にその旨通知する。この通知中又はＰｉｃｔＢｒｉｄｇｅ機能の実行中はＰＣ２との通信は切断される。一方、ＰｉｃｔＢｒｉｄｇｅに対応しないデバイス、例えば、スキャナ３がダウンストリームポート７に接続されたとき、接続切替回路１１は、ＵＳＢ接続ライン１２を切断し、ＵＳＢハブ回路８の側のＵＳＢ接続ライン１３をダウンストリームポート７に接続することにより、スキャナ３とＵＳＢハブ回路８とを接続し、ＵＳＢハブ回路８を介してＰＣ２に通知してスキャナ３を認識させる。
【００１８】
次に、画像形成装置１にＤＳＣ４が接続され、印刷を実行するときの、画像形成装置１及びＤＳＣ４の動作について、図３を参照して説明する。画像形成装置１とＤＳＣ４とがＵＳＢケーブル５によって接続されると、ＤＰＳディスカバリが実行される。すなわち、ダウンストリームポート７にＵＳＢデバイスが接続されたことを検知した画像形成装置１からＤＳＣ４に所定の呼出信号が送信される（＃１）。この呼出信号は、接続された相手方のデバイスがＰｉｃｔＢｒｉｄｇｅに対応したデバイスであるかを検知するために送信されるものであり、ＰｉｃｔＢｒｉｄｇｅの規格によって定められている。ＤＳＣ４は、受信した呼出信号に対応する応答信号を画像形成装置１に対して送信する（＃２）。このＤＳＣ４が送信する応答信号もＰｉｃｔＢｒｉｄｇｅの規格によって定められており、画像形成装置１が該応答信号を受信することにより、ＤＳＣ４がＰｉｃｔＢｒｉｄｇｅに対応していることを確認する（＃３）。この場合、画像形成装置１は、ＵＳＢホスト回路１０と接続切替回路１１との間のＵＳＢ接続ライン１２の接続状態を維持し、ＤＳＣ４からの指令信号の入力を待つ（＃４）。その後、ユーザによってＤＳＣ４が操作されると、ＤＳＣ４から画像形成装置１に印刷指令及び画像データが送信される（＃５）。ＤＳＣ４から印刷指令及び画像データを受信した画像形成装置１は、その印刷指令及び画像データに応じて印刷を実行する（＃６）。
【００１９】
次に、画像形成装置１にＰｉｃｔＢｒｉｄｇｅに対応していないデバイスの一例であるスキャナ３が接続されたときの、画像形成装置１、ＰＣ２及びスキャナ３の動作について、図４を参照して説明する。画像形成装置１とスキャナ３とがＵＳＢケーブル５によって接続されると、上記と同様に、画像形成装置１からスキャナ３に所定の呼出信号が送信される（＃１１）。これに対して、スキャナ３はＰｉｃｔＢｒｉｄｇｅに対応していないので、画像形成装置１から呼出信号を受信しても応答しない（＃１２）。画像形成装置１は、所定時間内にスキャナ３から所定の応答信号を受信しないときは、ダウンストリームポート７に接続されたスキャナ３がＰｉｃｔＢｒｉｄｇｅに対応していないことを確認する（＃１３）。この後、接続切替回路１１は、ダウンストリームポート７とＵＳＢホスト回路１０との間のＵＳＢ接続ライン１２を切断し、所定の時間が経過した後、ダウンストリームポート７とＵＳＢハブ回路８との間のＵＳＢ接続ライン１３を接続する（＃１４）。これにより、ＰＣ２は、ＵＳＢハブ回路８を介して画像形成装置１に加えてスキャナ３が接続されたことを認識することができる（＃１５）。なお、ＵＳＢ接続ライン１２を切断してから、ＵＳＢ接続ライン１３を接続するまでの間の所定の時間（ＵＳＢ接続ライン１２が切断されたことを確認するための時間）は、ＵＳＢの規格上、２．５μ秒以上必要とされているが、画像形成装置１と各ＵＳＢデバイスの相性を考慮すると、それよりも若干の余裕時間を加えた時間を設定することが望ましい。また、接続切替回路１１によるＵＳＢ接続ライン１２，１３の切断及び接続は少なくとも２つの信号伝送ライン（Ｄ＋、Ｄ−）について行えばよい。
【００２０】
以上のように、本実施形態の画像形成装置１によれば、ダウンストリームポート７に接続されたデバイスに応じて、ＵＳＢホスト機能とＵＳＢハブ機能とを自動的に切り替えるので、ユーザは、デバイスが画像形成装置１に対応したものであるのか否かを意識することなく、あらゆるデバイスを画像形成装置１のホスト機能又はＰＣ２に自動的に接続することが可能となり、ユーザの利便性が高められる。特に、机の下方に設置されることが多いタワー型のＰＣ２においては、ユーザがスキャナ３等のデバイスを使用する際、机の下側に手を伸ばすことなくＵＳＢケーブル５を気軽に接続することができ、デバイスの使い勝手が向上する。また、最小限のダウンストリームポートしか装備されないノート型のＰＣにおいても、多数のデバイスを同時に接続することができ、利便性が高められる。このとき、画像形成装置１に内蔵されている比較的出力の高い電源回路（図示せず）から、ＵＳＢケーブル５を介して、ダウンストリームポート７に接続された各デバイスに電力を供給することも可能である。
【００２１】
また、接続切替回路１１は、所定の応答信号の受信結果に応じてＵＳＢ接続ライン１２，１３の接続制御を行うので、デバイスが画像形成装置１に対応したものであるのか否かを確実かつ迅速に確認することができる。従って、即時応答性が求められるデバイスが接続された場合にあっても、処理にタイムラグが生ずることがなく、良好な操作性を得ることができる。また、デバイスから所定の応答信号を受信しなかった場合は、ＵＳＢ接続ライン１２を一旦切断し、接続を切り替える前に所定の時間待機するので、メーカー毎に仕様の異なるデバイスが接続された場合であっても、該デバイスと画像形成装置１との間の相性に問題が生ずることもない。また、安価かつ広く普及しているＵＳＢケーブル５を介して画像形成装置１とＰＣ２及びスキャナ３又はＤＳＣ４等のデバイスを接続できるので、ホスト装置としてＰＣ２を、デバイスとしてＵＳＢポートを備えた各種の周辺機器を接続することができ、ユーザの利便性が高められる。
【００２２】
なお、本発明は上記実施形態の構成に限られることなく種々の変形が可能であり、例えば、標準規格は、ＰｉｃｔＢｒｉｄｇｅに限られることなく、他の規格、例えば、ストレージメディア等におけるＤＰＯＦ（Digital Print Order Format）を設定してもよい。また、ＰＣ２及び各デバイスとの接続は、コストや汎用性を考慮すると、現在のところＵＳＢケーブル５を介して行うのが最も望ましいが、将来的にＵＳＢに替わる規格が創設されれば、これに準拠するケーブルを用いて接続するようにしても構わない。また、ダウンストリームポート７は、複数個設けられていてもよい。さらに、ハブ回路８と接続切替回路１１を備える構成は、画像形成装置１に限られることなく、ホスト機能とデバイス機能を有する電子機器に幅広く適用することができる。
【図面の簡単な説明】
【００２３】
【図１】本発明の一実施形態による画像形成装置と、それに接続されたＰＣ及びスキャナ、ＤＳＣを示した図。
【図２】（ａ）は同ＤＳＣが接続された画像形成装置のブロック図、（ｂ）は同スキャナが接続された画像形成装置のブロック図。
【図３】同ＤＳＣが接続されたときの画像形成装置の動作を示すタイムチャート。
【図４】同スキャナが接続されたときの画像形成装置及びＰＣの動作を示すタイムチャート。
【符号の説明】
【００２４】
１    画像形成装置
２    ＰＣ
３    スキャナ
４    ＤＳＣ
５    ＵＳＢケーブル
６    アップストリームポート
７    ダウンストリームポート
８    ＵＳＢハブ回路
９    ＵＳＢデバイス回路
１０    ＵＳＢホスト回路
１１    接続切替回路
１２、１３    ＵＳＢ接続ライン
【図１】
2005339146.tif 000003
【図２】
2005339146.tif 000004
【図３】
2005339146.tif 000005
【図４】
2005339146.tif 000006